【手続補正書】
【提出日】平成22年6月14日(2010.6.14)
【手続補正１】
【補正対象書類名】特許請求の範囲
【補正対象項目名】全文
【補正方法】変更
【補正の内容】
【特許請求の範囲】
【請求項１】
電子デバイス用の貯蔵ユニットであって、
開くことができるハウジングと、
１つ以上の電子デバイスを前記ハウジング内に受入れかつ保持するための装着システムとを有し、前記装着システムは２つ以上のブラケットを支持するヒンジ組立体を備え、各ブラケットは、１つ以上の電子デバイスを受入れかつ保持するように構成されかつヒンジ組立体により他の全てのブラケットに対してヒンジ運動でき、これにより、単一または複数の電子デバイスの装着、維持、または、取出しを行うために、ブラケットにアクセスできることを特徴とする貯蔵ユニット。
【請求項２】
前記ヒンジ組立体は、互いにヒンジ運動できるように相互連結された２つ以上の隣接するヒンジコンポーネンツの連鎖を含み、各ヒンジコンポーネントは、単独でまたは１つ以上の隣接するヒンジコンポーネンツと協働して前記ブラケットを支持するように構成され、これにより、支持されたブラケットを互いにヒンジ運動させることができ、
前記２つの隣接するヒンジコンポーネンツの連鎖の各組が、共通のピボット軸線の回りにピボット回転可能なように連結されており、前記ピボット軸線の回りでヒンジ運動できることを特徴とする請求項１記載の貯蔵ユニット。
【請求項３】
前記ヒンジ組立体はブラケットを片持ち支持態様で支持するように構成され、これにより、各ブラケットは、隣接するブラケットに対して当接関係をなすようにヒンジ運動でき、または、隣接するブラケットとの当接関係から離れる方向にヒンジ運動して、前記ブラケットへのアクセスを可能にすることを特徴とする請求項１又は２記載の貯蔵ユニット。
【請求項４】
各ブラケットは、特定Ｕサイズの１つ以上のラックマウント電子デバイスを受入れかつ保持するように構成されており、
各ブラケットは、ヒンジ組立体の隣接するヒンジコンポーネンツのいずれか１つまたは多くに対して解放可能に連結されており、必要なヒンジコンポーネンツの数は、前記ブラケットの整数倍のＵサイズに等しいことを特徴とする請求項２記載の貯蔵ユニット。
【請求項５】
各ブラケットは、特定Ｕサイズの１つ以上のラックマウント電子デバイスを受入れかつ保持するように構成されており、
各ブラケットは、ヒンジ組立体の隣接するヒンジコンポーネンツの１つ又は多くに対して永久的に連結されており、必要なヒンジコンポーネンツの数は、前記ブラケットの整数倍のＵサイズに等しいことを特徴とする請求項２記載の貯蔵ユニット。
【請求項６】
支持するための多くの隣接するヒンジコンポーネンツを必要とするブラケットは、これらの隣接するヒンジコンポーネンツを一体に連結して、隣接するヒンジコンポーネンツが相対的にヒンジ運動することを防止することを特徴とする請求項４または５記載の貯蔵ユニット。
【請求項７】
各ブラケットには操作可能なロッキング機構が設けられており、前記ロッキング機構は、隣接するブラケットの同様なロッキング機構と協働してブラケットを一体にロックし、これらのブラケットの相対ヒンジ運動を防止するように構成されていることを特徴とする請求項１から６のいずれか１項記載の貯蔵ユニット。
【請求項８】
前記ハウジングは、ベース板と、前記ベース板の両端部のヒンジ機構を介して前記ベース板にヒンジ連結された２つの開くことができる対向するドアとを有しており、
前記ハウジングのドアは、両ドアが閉位置と開位置との間で移動できるようにヒンジ連結されており、これにより、両ドアが閉位置にあるとき、前記装着システムおよび装着された全ての電子デバイスが前記ハウジング内に包囲され、かつ、両ドアが開位置にあるとき、前記装着システムおよび全ての電子デバイスが露出されかつアクセス可能になることを特徴とする請求項１から７のいずれか１項記載の貯蔵ユニット。
【請求項９】
前記ハウジング内の温度を制御するための温度制御システムを更に有し、
前記温度制御システムは、１つ以上の操作可能なファンを備えた一体形冷却システムを有し、前記ファンは、前記ハウジング、および、前記ハウジングの関連ベントを通る通気空気流を発生するように構成されていることを特徴とする請求項１から８のいずれか１項記載の貯蔵ユニット。
【請求項１０】
前記ハウジング内の温度を制御するための温度制御システムを更に有し、
前記温度制御システムは外部空調システムを有し、前記外部空調システムは、空調された空気流を供給して１つ以上の環境パラメータ、および、前記ハウジングの内部環境内の状態を制御すべく前記ハウジングに連結されるように構成されていることを特徴とする請求項１から９のいずれか１項記載の貯蔵ユニット。
【請求項１１】
前記温度制御システムはモニタリングセンサを有し、前記モニタリングセンサは、前記ハウジングの内部環境内の特定環境パラメータを測定するように構成されており、前記温度制御システムは、測定されたパラメータに応答して前記ハウジング内の温度を制御するように構成されていることを特徴とする請求項９または１０記載の貯蔵ユニット。
【請求項１２】
前記ハウジングは、壁または他の垂直面またはフレームに固定されるように構成された壁マウントブラケットに着脱可能に固定できることを特徴とする請求項１から１１のいずれか１項記載の貯蔵ユニット。
【請求項１３】
１つ以上の電子デバイスを受入れかつ保持するための装着システムを有し、前記装着システムは２つ以上のブラケットを支持するヒンジ組立体を備え、各ブラケットは、１つ以上の電子デバイスを受入れかつ保持するように構成されかつヒンジ組立体により他の全てのブラケットに対してヒンジ運動でき、これにより、単一または複数の電子デバイスの装着、維持または取出しを行うべく前記ブラケットにアクセスできることを特徴とする電子デバイス用貯蔵組立体。
【請求項１４】
前記ヒンジ組立体は、互いにヒンジ運動できるように相互連結された２つ以上の隣接ヒンジコンポーネンツの連鎖からなり、各ヒンジコンポーネントは、単独でまたは１つ以上の隣接ヒンジコンポーネンツと協働して前記ブラケットを支持するように構成され、これにより、支持された前記ブラケットを互いにヒンジ運動させることができ、
前記２つの隣接するヒンジコンポーネンツの連鎖の各組が、共通のピボット軸線の回りにピボット回転可能なように連結されており、前記ピボット軸線の回りでヒンジ運動できることを特徴とする請求項１３記載の貯蔵組立体。
【請求項１５】
前記ヒンジ組立体はブラケットを片持ち支持態様で支持するように構成され、これにより、各ブラケットは、隣接するブラケットに対して当接関係をなすようにヒンジ運動でき、または、隣接するブラケットとの当接関係から離れる方向にヒンジ運動して、前記ブラケットへのアクセスを可能にすることを特徴とする請求項１３または１４項記載の貯蔵組立体。
【請求項１６】
各ブラケットは、特定Ｕサイズの１つ以上のラックマウント電子デバイスを受入れかつ保持するように構成されており、
各ブラケットは、ヒンジ組立体の隣接するヒンジコンポーネンツのいずれか１つまたは多くに対して解放可能に連結されており、必要なヒンジコンポーネンツの数は、前記ブラケットの整数倍のＵサイズに等しいことを特徴とする請求項１４記載の貯蔵組立体。
【請求項１７】
各ブラケットは、特定Ｕサイズの１つ以上のラックマウント電子デバイスを受入れかつ保持するように構成されており、
各ブラケットは、ヒンジ組立体の隣接するヒンジコンポーネンツの１つ又は多くに対して永久的に連結されており、必要なヒンジコンポーネンツの数は、前記ブラケットの整数倍のＵサイズに等しいことを特徴とする請求項１４記載の貯蔵組立体。
【請求項１８】
支持するための多くの隣接するヒンジコンポーネンツを必要とするブラケットは、これらの隣接ヒンジコンポーネンツを一体に連結して、隣接するヒンジコンポーネンツが相対的にヒンジ運動することを防止することを特徴とする請求項１６または１７記載の貯蔵組立体。
【請求項１９】
電子デバイス用の貯蔵ユニットであって、
開くことができるハウジングと、
１つ以上の電子デバイスを前記ハウジング内に受入れかつ保持するための装着システムとを有し、前記装着システムはヒンジ組立体を備え、前記ヒンジ組立体は２つ以上の電子デバイスを支持するように構成され、支持された前記電子デバイスは、ヒンジ組立体により互いにヒンジ運動でき、これにより、支持された各電子デバイスにアクセスできる、
ことを特徴とする貯蔵ユニット。
【請求項２０】
前記ヒンジ組立体は、互いにヒンジ運動できるように相互連結された２つ以上の隣接ヒンジコンポーネンツの連鎖からなり、各ヒンジコンポーネントは、単独でまたは１つ以上の隣接ヒンジコンポーネンツと協働して、前記電子デバイスを片持ち支持態様で支持するように構成されていることを特徴とする請求項１９記載の貯蔵ユニット。
【請求項２１】
各ヒンジコンポーネントは、単独でまたは１つ以上の隣接するヒンジコンポーネンツと協働して、前記電子デバイスを単一または複数のヒンジコンポーネンツに直接連結することにより、前記電子デバイスを受入れかつ保持するように構成されていることを特徴とする請求項２０記載の貯蔵ユニット。
【請求項２２】
前記ヒンジ組立体のヒンジコンポーネンツは少なくとも２つのブラケットを支持するように構成され、各ブラケットは１つ以上の電子デバイスを受入れかつ保持するように構成され、前記ブラケットはヒンジ組立体により互いにヒンジ運動できることを特徴とする請求項２０記載の貯蔵ユニット。
【請求項２３】
前記電子デバイスはラックマウント電子デバイスであることを特徴とする請求項１９から２２のいずれか１項記載の貯蔵ユニット。